(57)【要約】【課題】クロストークの低減、製造費及び材料費の削減、製品の小型化、部品点数の削減を図る。【解決手段】本発明は、前面側にモジュラープラグ７５が嵌合可能な嵌合凹部５２を有するハウジング本体４２と、ハウジング本体４２の後壁５６に設けられた開口部５７，５８に挿入することにより後壁５６に設けられた固定部５９，６０に固定される端子４３，４４，４５，４６，４７，４８，４９，５０とを備え、端子は固定部５９，６０を支点として嵌合凹部５２内に片持ち梁状に延出した姿勢で保持可能なように形成されている。【選択図】          図１
2004171878.tif 000002
【特許請求の範囲】
【請求項１】
モジュラープラグが嵌合可能なモジュラージャックにおいて、
前面側にモジュラープラグが嵌合可能な嵌合凹部を有するハウジング本体と、
該ハウジング本体の後壁に設けられた開口部に挿入することにより前記後壁に設けられた固定部に固定される端子とを備え、
該端子は前記固定部を支点として前記嵌合凹部内に片持ち梁状に延出した姿勢で保持可能なように形成されていることを特徴とするモジュラージャック。
【請求項２】
前記端子の固定部は、第１固定部と、該第１固定部から高さ方向に所定距離離間して形成された第２固定部とを有し、前記第１固定部と前記第２固定部は互い違いに並設されている請求項１に記載のモジュラージャック。
【請求項３】
前記端子は、前記第１固定部に固定される第１グループの端子と、前記第２固定部に固定される第２グループの端子とを有し、前記第１グループの端子及び前記第２グループの端子はそれぞれ前方に傾斜する接触部を有し、前記第１グループの端子の接触部と前記第２グループの端子の接触部とは傾斜角度が異なっている請求項１又は２に記載のモジュラージャック。
【請求項４】
前記第１グループの端子及び第２グループの端子の各接触部の前端部には外側に屈曲する屈曲部が形成され、前記第１グループの端子の屈曲部と前記第２グループの端子の屈曲部とは前後方向の位置が異なっている請求項３に記載のモジュラージャック。
【請求項５】
前記ハウジング本体の底壁の前記端子に対応する部分に規制部が突設され、該規制部に前記端子が当接することにより該端子の撓み過ぎを防止可能となっている請求項１〜４のいずれか１の請求項に記載のモジュラージャック。
【発明の詳細な説明】
【０００１】
【発明の属する技術分野】
本発明は、モジュラープラグが嵌合可能なモジュラージャックに関する。
【０００２】
【従来の技術】
従来、電話設備やＬＡＮ（ローカルエリアネットワーク）において使用されるコネクタ部材の一つとしてモジュラージャックがある。モジュラージャックは、通常、基板に実装され、ケーブル等複数の心線を結線するモジュラープラグが嵌合可能なように形成されている。
【０００３】
図１３〜図１６は、そのような従来のモジュラージャック１を示している（例えば、特許文献１参照）。
【０００４】
【特許文献】
特開２０００−２９９１６４号公報
【０００５】
モジュラージャックは、ハウジング本体と該ハウジング本体に設けられた８本の第１〜第８端子３，４，５，６，７，８，９，１０とを備え、前記ハウジング本体はインサート１１と該インサート１１を受入れ可能なモジュラージャックアセンブリ１２とから構成されている。
【０００６】
インサート１１は後壁１３と該後壁１３の上部から前方に延出する頂壁１４とから構成され、後壁１３及び頂壁１４のそれぞれの上面側には前後方向に所要数の上側溝１５が形成され、また、後壁１３の後面側には上側溝１５に連続するように上下方向に所要数の後側溝１６が形成されている。
【０００７】
各第１〜第８端子３，４，５，６，７，８，９，１０は、それぞれ幅広部１７を介して後側溝１６内に固定され、電気的クロストークを低減させるために、形状の違いによって２つのグループに分けられている。第１のグループの端子は、第１端子３、第３端子５、第５端子７、第８端子１０から成り、また、第２のグループの端子は、第２端子４、第４端子６、第６端子８、第７端子９から成っている。第１のグループの各端子３，５，７，１０は、図１５（Ａ）に示すように、基板２６に固定される基板固定部１８と、後側溝１６に沿って上下方向に延びる鉛直部１９と、上側溝１５に沿って前後方向に延びる水平部２０と、水平部２０の前端で下側斜め後方に折返される接触部２１とから構成され、接触部２１の先端は自由端を形成している。また、第２のグループの各端子４，６，８，９は、図１５（Ｂ）に示すように、基板に固定される基板固定部２２と、後側溝１６に沿って上下方向に延びる鉛直部２３と、後壁１３の上面に沿って前後方向に延びる水平部２４と、水平部２４の前端で下方に屈曲後、上側斜め前方に延びる接触部２５とから構成され、接触部２５の先端は頂壁１４の前端部に支持されている。
【０００８】
図１６に示すように、モジュラージャックアセンブリ１２は基板２６上に実装可能に設けられ、その前面側には上下２段で合計１６個の受入れ凹部２７，２８が形成されている。下段の受入れ凹部２８には、上述したインサート１１及び端子２，３，４，５，６，７，８，９，１０が嵌設され、上段の受入れ凹部２７には、ここでは詳述しないが、別のインサート及び端子（図示せず）が嵌設され、この状態で、各受入れ部２７，２８にそれぞれモジュラープラグが嵌合可能な嵌合凹部（図示せず）が形成されるようになっている。
【０００９】
このように構成されたモジュラージャック１に前記モジュラープラグを嵌合すると、第１のグループの端子３，５，７，１０の接触部２１及び第２のグループの端子４，６，８，９の接触部２５はそれぞれ前記モジュラープラグ側の各端子（図示せず）と接触し、モジュラージャック１と前記モジュラープラグは電気的に接続された状態となる。
【００１０】
【発明が解決しようとする課題】
しかしながら、上記した従来のモジュラージャック１では、第１のグループの端子３，５，７，１０は、インサート１１に固定した後にその接触部２１を頂壁１４の前端部から下側斜め後方に屈曲させる必要があるため、組立て作業に手間が掛かると共に端子長が長くなり、製造費及び材料費の削減が図り難いといった問題があった。また、接触部２１を下側斜め後方に折返すには、高さ方向に一定の曲げ寸法が必要となるため、前記ハウジング本体の高さ方向の寸法を低くできず、モジュラージャック１自体の小型化が図れないといった問題もあった。
【００１１】
さらに、前記ハウジング本体はインサート１１とモジュラージャックアセンブリ１２の２部品から成り、インサート１１とモジュラージャックアセンブリ１２により各端子３，４，５，６，７，８，９，１０を組込む構成となっているため、部品点数の削減が図れず、コスト増の要因となっていた。
【００１２】
本発明は上記課題を解決すべきなされたものであり、製造費及び材料費の削減、製品の小型化、部品点数の削減が可能なモジュラージャックを提供するものである。
【００１３】
【課題を解決するための手段】
本発明は、モジュラープラグが嵌合可能なモジュラージャックにおいて、前面側にモジュラープラグが嵌合可能な嵌合凹部を有するハウジング本体と、該ハウジング本体の後壁に設けられた開口部に挿入することにより前記後壁に設けられた固定部に固定される端子とを備え、該端子は前記固定部を支点として前記嵌合凹部内に片持ち梁状に延出した姿勢で保持可能なように形成されていることを特徴とする。
【００１４】
好ましくは、前記端子の固定部は、第１固定部と、該第１固定部から高さ方向に所定距離離間して形成された第２固定部とを有し、前記第１固定部と前記第２固定部は互い違いに並設されている。
【００１５】
また、前記端子は、前記第１固定部に固定される第１グループの端子と、前記第２固定部に固定される第２グループの端子とを有し、前記第１グループの端子及び前記第２グループの端子はそれぞれ前方に傾斜する接触部を有し、前記第１グループの端子の接触部と前記第２グループの端子の接触部とは傾斜角度が異なっている。
【００１６】
さらに、前記第１グループの端子及び第２グループの端子の各接触部の前端部には外側に屈曲する屈曲部が形成され、前記第１グループの端子の屈曲部と前記第２グループの端子の屈曲部とは前後方向の位置が異なっている。
【００１７】
さらにまた、前記ハウジング本体の底壁の前記端子に対応する部分に規制部が突設され、該規制部に前記端子が当接することにより該端子の撓み過ぎを防止可能となっている。
【００１８】
このような構成において、前記各端子を前記ハウジング本体の後壁に設けられた開口部に挿入すると、前記各端子はそれぞれ前記固定部を支点として嵌合凹部内に片持ち梁状に延出した姿勢でハウジング本体に確実に固定される。
【００１９】
【発明の実施の形態】
以下、図面を参照しつつ本発明の実施の形態を説明する。
【００２０】
図１〜図７は本発明の実施の形態に係る高速信号対応のモジュラージャック４１を示している。モジュラージャック４１は、ハウジング本体４２と、該ハウジング本体４２に設けられた所要数（図示では８本）の第１〜第８端子４３，４４，４５，４６，４７，４８，４９，５０とを備え、基板５１に実装可能となっている。
【００２１】
ハウジング本体４２の前面側には、嵌合凹部５２が形成され、嵌合凹部５２にモジュラープラグ７５（図６及び図７参照）が嵌合可能となっている。嵌合凹部５２の上部にはロック片受部５３が形成され、また、ハウジング本体４２の底壁５４の内面側には前後方向に８個の細長溝５５が形成されている。ハウジング本体４２の後壁５６には、縦長スリット状の第１及び第２端子挿入孔５７，５８がそれぞれ４個ずつ穿設され、第１及び第２端子挿入孔５７，５８は互い違いに並設されている。第１端子挿入孔５７の上端部及び第２端子挿入孔５８の下端部には、それぞれ幅広の第１及び第２固定部５９，６０が形成され、好ましくは、第１固定部５９は第２端子挿入孔５８の上端より上方に位置し、第２固定部６０は第１端子挿入孔５７の下端より下方に位置するように形成されている。これにより、各第１固定部５９間及び各第２固定部６０間のハウジング本体４２の肉厚を十分に確保でき、ハウジング本体４２の強度を高く保持することができる。また、ハウジング本体４２の後壁５６には、４個の第２端子挿入孔５８を取囲むように凹部６１が形成され、さらに、後壁５６の両側にはそれぞれ基板取付部６２が後方に突設されており、基板取付部６２を介してハウジング本体４２が基板５１に取付け可能となっている。
【００２２】
第１〜第８端子４３，４４，４５，４６，４７，４８，４９，５０は、形状の違いによって２つのグループに分けられ、第１のグループの端子は、第２端子４４、第４端子４６、第６端子４８、第８端子５０から成り、また、第２のグループの端子は、第１端子４３、第３端子４５、第５端子４７、第７端子４９から成っている。図４に最もよく示されているように、第１のグループの各端子４４，４６，４８，５０は、下端が基板５１に固定される鉛直部６３と、第１固定部５９に圧入可能な幅広部６４が前端部分に形成された水平部６５と、後壁５６の内面に沿って垂下後、前方下側に傾斜する接触部６６と、接触部６６の前端部で外側に屈曲する屈曲部６７とを備え、ハウジング本体４２の後面側から第１端子挿入孔５７に挿入可能なように屈曲部６７の最下部６８から幅広部６４までの高さは第１端子挿入孔５７の高さより低く形成されている。
【００２３】
また、図５に最もよく示されているように、第２のグループの各端子４３，４５，４７，４９は、下端が基板５１に固定される鉛直部６９と、鉛直部６９の上端から凹部６１に沿って垂下後、第２固定部６０に圧入可能な幅広部７０と、後壁５６の内面に沿って立上がった後、前方下側に傾斜する接触部７１と、接触部７１の前端部で外側に屈曲する屈曲部７２とを備え、ハウジング本体４２の後面側から第２端子挿入孔５８に挿入可能なように幅広部７０から接触部７１の最上部７３までの高さは第２端子挿入孔５８の高さより低く形成されている。好ましくは、第２グループの端子４３，４５，４７，４９の接触部７１は、その傾斜角度が第１グループの端子４４，４６，４８，５０の接触部６６の傾斜角度と異なるように形成され、また、第２グループの端子４３，４５，４７，４９の屈曲部７２は、その前後方向の位置が第１グループの端子４４，４６，４８，５０の屈曲部６７の前後方向の位置と異なるように形成されている。
【００２４】
このように、第１グループの端子４４，４６，４８，５０と第２グループの端子４３，４５，４７，４９のハウジング本体４２への固定部、すなわち各圧入箇所を上下に振り分けたため、両端子間の距離を大きくとることができ、また、側方から見て、隣接する端子同士の重なり合う部分がほとんどなく、さらに、端子の先端はすべて自由端とし、端子長を短くしたので、伝送路も短くすることができる。したがって、隣接する端子間でのクロストークを確実に減少させることができ、容易に高速信号に対応することができる。
【００２５】
以上のような構成において、各端子４３，４４，４５，４６，４７，４８，４９，５０をハウジング本体４２に取付けるには、各端子４３，４４，４５，４６，４７，４８，４９，５０をハウジング本体４２の後面側から各第１端子挿入孔５７、第２端子挿入孔５８に挿入する。そうすると、各幅広部６４，７０がそれぞれ第１固定部５９，第２固定部６０に圧入され、第１グループの端子４４，４６，４８，５０及び第２グループの端子４３，４５，４７，４９は、各第１固定部５９，第２固定部６０を支点として嵌合凹部５２内に片持ち梁状に延出した姿勢でハウジング本体４２に確実に保持され、各屈曲部６７，７２はそれぞれ細長溝５５の上方に位置するようになる。
【００２６】
このように、端子４３，４４，４５，４６，４７，４８，４９，５０は、ハウジング本体４２の後面側から第１及び第２固定部５９，６０に挿入するだけでハウジング本体４２へ取付けることができ、挿入後に端子の曲げ作業等をする必要がないので、端子の取付作業が簡素化される。また、各端子４３，４４，４５，４６，４７，４８，４９，５０はそれぞれ第１及び第２固定部５９，６０を支点として前方に延出した片持ち梁状を成しているので、端子長を短くすることができ、伝送路も短くすることができ、また、材料費の削減を図ることができる。さらに、各接触部６６，７１には折返し部分がないので、ハウジング本体４２の高さ方向の寸法を低くすることができ、モジュラージャック４１自体の小型化を図ることが可能となる。さらにまた、ハウジング本体４２は一部品で構成されているため、部品点数の削減が図れ、コスト削減が可能となる。
【００２７】
次に、モジュラージャック４１にモジュラープラグ７５を嵌合する時の作用を説明する。
【００２８】
図６，７に示すように、モジュラープラグ７５のロック片７６がモジュラージャック４１のロック片受部５３に合致するように、モジュラープラグ７５を嵌合凹部５２に押込むと、モジュラープラグ７５側の端子７７がモジュラージャック４１側の端子４３，４４，４５，４６，４７，４８，４９，５０の各接触部６６，７１にそれぞれ当接する。この時、各接触部６６，７１はモジュラープラグ７５の先端に形成されている端子配列溝（図示せず）に位置している。そして、図６及び図７に示すように、各接触部６６，７１は、それぞれ下方に弾性変形し、その前端部が細長溝５５内に収容され、モジュラープラグ７５側の端子７７とモジュラージャック４１側の端子４３，４４，４５，４６，４７，４８，４９，５０はそれぞれ所定圧力で接触し、モジュラープラグ７５とモジュラージャック４１は電気的に接続された状態となる。この時、各端子４３，４４，４５，４６，４７，４８，４９，５０には屈曲部６７，７２が形成されているので、モジュラープラグ７５とモジュラージャック４１との嵌合作業は円滑に行うことができる。
【００２９】
なお、図８及び図９に示すように、ハウジング本体４２の底壁５４の内面に第１規制部８１（図８参照）及び第２規制部８２（図９参照）をそれぞれ突設させてもよい。第１規制部８１及び第２規制部８２は、それぞれ第１グループの端子の各接触部６６及び第２グループの端子の各接触部７１に対応する位置に設けられ、モジュラープラグ７５の前記端子配列溝に干渉しないように櫛歯状に形成されている。そして、第１規制部８１及び第２規制部８２の上端部には、それぞれ各接触部６６，７１の傾斜角度に対応させて傾斜面８３，８４が形成され、モジュラープラグ７５がモジュラージャック４１に嵌合した状態（図８及び図９の状態）で、各接触部６６，７１はそれぞれ第１及び第２規制部８１，８２に近接又は当接するまで撓むことができるようになっている。さらに、第１及び第２規制部８１，８２の前方の底壁５４は、成形上の理由から、開口されている。この場合、モジュラープラグをこじったり、モジュラージャック４１に誤って別の種類のモジュラープラグを嵌合しようとすると、モジュラージャック４１の接触部６６，７１がモジュラープラグの前記端子配列溝に位置せず、モジュラープラグの先端部に押されて各接触部６６，７１に無理な力が作用したり、或いは、モジュラージャック４１に誤って異物や他の種類のコネクタが挿入されると、各接触部６６，７１に無理な力が作用したりするが、各接触部６６，７１は第１及び第２規制部８１，８２に当接し、それ以上撓むことができないので、これによって各接触部６６，７１が破壊することはない。また、モジュラージャック４１の小型化に伴い、端子の固定部５９，６０から接触部６６，７１までの距離が短くなると、端子の弾性力が弱まり、端子が破壊されやすくなるが、第１及び第２規制部８１，８２により、端子の破壊を防止することができるので、このような場合には特に有効である。
【００３０】
なお、上記実施の形態においては、基板取付部６２を介してモジュラージャック４１を基板５１に実装する場合について説明しているが、本発明は、図１０に示すようにモジュラージャック本体４２の底壁５４を介して基板５１に実装したり、図１１に示すようにモジュラージャック本体４２の後壁５６を介して基板５１に実装したり、或いは、図１２に示すようにモジュラージャック本体４２の頂壁７４を介して基板５１に実装したりする場合にも適用可能である。
【００３１】
また、上記実施の形態では、高速信号対応のモジュラージャック４１について説明したが、本発明は、電話回線等に使用する低速信号用のモジュラージャックについても適用可能である。この場合には、各端子４３，４４，４５，４６，４７，４８，４９，５０の形状を同一にすることができるので、端子等の製造コストを一層低減することができる。
【００３２】
さらに、高速信号対応のモジュラージャックとして使用する場合、端子４３，４４，４５，４６，４７，４８，４９，５０の形状によるグループ分けを３グループ以上としてもよく、また、各端子の形状は上記した形状に限定されるものではない。
【００３３】
さらにまた、第１及び第２端子挿入孔５７，５８は、上記実施の形態における孔形状の他、それらの下方の底壁５４を除去し、溝状に形成させる等、端子を固定可能な他の形状の開口部であってもよい。
【００３４】
【発明の効果】
以上述べた如く本発明によれば、ハウジング本体の後壁に設けられた開口部に挿入するだけで端子を後壁の固定部に取付けることができ、また、端子は固定部を支点として嵌合凹部内に片持ち梁状に延出した姿勢で保持され、さらに、ハウジング本体が一部品で構成されているので、組立作業の簡素化、クロストークの低減、部品点数の削減、製造コストの低減を確実に図ることができる等種々の優れた効果を発揮する。
【図面の簡単な説明】
【図１】本発明の実施の形態に係るモジュラージャックを示す正面図である。
【図２】本発明の実施の形態に係るモジュラージャックを示す側面図である。
【図３】本発明野実施の形態に係るモジュラージャックを示す背面図である。
【図４】図１のＡ−Ａ断面図である。
【図５】図１のＢ−Ｂ断面図である。
【図６】本発明の実施の形態に係るモジュラージャックの作用を示す断面図である。
【図７】本発明の実施の形態に係るモジュラージャックの作用を示す断面図である。
【図８】本発明の別の実施例を示す断面図である。
【図９】本発明の別の実施例を示す断面図である。
【図１０】本発明のさらに別の実施例を示す断面図である。
【図１１】本発明のさらに別の実施例を示す断面図である。
【図１２】本発明のさらに別の実施例を示す断面図である。
【図１３】従来例を示す側面図である。
【図１４】従来例を示す平面図である。
【図１５】（Ａ）は図１４のＣ−Ｃ断面図であり、（Ｂ）は図１４のＤ−Ｄ断面図である。
【図１６】従来例を示す斜視図である。
【符号の説明】
４１          モジュラージャック
４２          ハウジング本体
４３          第１端子
４４          第２端子
４５          第３端子
４６          第４端子
４７          第５端子
４８          第６端子
４９          第７端子
５０          第８端子
５２          嵌合凹部
５６          後壁
５７          第１端子挿入孔
５８          第２端子挿入孔
５９          第１固定部
６０          第２固定部
６６          接触部
７１          接触部
７５          モジュラープラグ
８１          第１規制部
８２          第２規制部
【図１】
2004171878.tif 000003
【図２】
2004171878.tif 000004
【図３】
2004171878.tif 000005
【図４】
2004171878.tif 000006
【図５】
2004171878.tif 000007
【図６】
2004171878.tif 000008
【図７】
2004171878.tif 000009
【図８】
2004171878.tif 000010
【図９】
2004171878.tif 000011
【図１０】
2004171878.tif 000012
【図１１】
2004171878.tif 000013
【図１２】
2004171878.tif 000014
【図１３】
2004171878.tif 000015
【図１４】
2004171878.tif 000016
【図１５】
2004171878.tif 000017
【図１６】
2004171878.tif 000018